(57)【要約】【課題】  ゲーム機が非直線状に列設されているゲーム店舗における非直線状配置が必要となる吸殻回収装置において、何らの支障もなく容易に対応できる装置を提供する。【解決手段】  複数のゲーム機を列設したゲーム店舗におけるゲーム機前面の灰皿部Ｂを備えたテーブル部Ｃの下面に、灰皿部から落下する吸殻を受け留める樋形状の受け皿部１と、前記受け皿部内に吸殻押出搬送機構３を設け、受け皿部の端部に設けた吸殻排出部２まで、受け皿部内の吸殻Ｅを押出搬送する吸殻回収装置において、特に、押出搬送機構を、水平面で周回駆動するチェーン３１と、前記チェーンに所定の間隔で連結して、吸殻落下貯留箇所を移動する押出板３２とで構成し、受け皿部を非直線状に設けても、チェーンは周回駆動面上で折曲することになるに過ぎなく、何ら不都合なく対応できる。【選択図】  図１
0003105320.tif 000002
【実用新案登録請求の範囲】
【請求項１】
複数のゲーム機を列設したゲーム店舗におけるゲーム機前面の灰皿部を備えたテーブル部の下面に、灰皿部から落下する吸殻を受け留める樋形状の受け皿部と、前記受け皿部内に吸殻押出搬送機構とを設け、受け皿部の端部に設けた吸殻排出部まで、受け皿部内の吸殻を押出搬送する吸殻回収装置において、押出搬送機構を、水平面で周回駆動するチェーンと、前記チェーンに所定の間隔で連結して、吸殻落下貯留箇所を移動する押出板とで構成したことを特徴とする吸殻回収装置。
【請求項２】
受け皿部を、端面Ｔ状とし縦壁面の下方にチェーンレールを前後に設けたレール部材と、チェーンレールに装着されたチェーンに付設した押出板の移動軌跡と対応する形状の樋形状のカバー部材とで構成した請求項１記載の吸殻回収装置。
【請求項３】
縦壁面の上方部を灰皿部の後方とし、下方部を前後中間位置に設けたレール部の前面位置とした傾斜面に形成してなる請求項２記載の吸殻回収装置。
【請求項４】
直線状の長尺の受け皿部の間を短尺の受け皿部で連結し、非直線状に設けたテーブル部の下面に配置してなる請求項１乃至３記載のいずれかの吸殻回収装置。
【考案の詳細な説明】
【技術分野】
【０００１】
本考案は、パチンコ店のようなゲーム店舗で採用される吸殻回収装置に関するものである。
【背景技術】
【０００２】
パチンコ店のようにゲーム機が列設されているゲーム店舗においては、ゲーム機群の前面に渡って幅の狭いテーブル部を設けており、このテーブル部の適宜箇所に透孔を穿設し、当該透孔に底面部分が開口した灰皿部を装着し、テーブル部の下面側に吸殻の回収機構を配備している（特許文献１，２）。
【０００３】
前記の特許文献に開示されている吸殻回収装置は、灰皿部から落下する吸殻を受け留める樋形状の長尺受け皿部と、前記長尺受け皿部内に吸殻押出搬送機構を設け、長尺受け皿部の端部に設けた吸殻排出部まで、長尺受け皿部内の吸殻を搬送するようにしているものである。
【０００４】
吸殻押出搬送機構は、長尺受け皿部の側面の上下ガイドレールにチェーンを設け、前記チェーンに、受け皿部内底面と当接する押出板を付設し、押出板の下方側移動に際して、吸殻を押出搬送するようにしている。尚前記特許文献では長尺受け皿部を側面にガイドレールを形成したΓ状のレール部とＬ状のカバー部で構成している。
【０００５】
またゲーム機が非直線状（例えば平面視円形の島状態）に配置されている場合においては、レール部の上面に切込みを入れて細かく且つ浅い角度で折曲し、且つ端縁を傾斜切断した平面視台形状のカバー部を採用して対応する構造が開示されている（特許文献２）。
【０００６】
【特許文献１】特開２００４−３３７５１号公報。
【特許文献２】登録実用新案第３０９３２４０号公報。
【考案の開示】
【考案が解決しようとする課題】
【０００７】
ゲーム機が非直線状に列設されている場合には、テーブル部も非直線状となり、前記した公知手段で対応することができるが、公知手段では、チェーン周回駆動面が鉛直状態に組み込まれているので、基本的にはチェーン周回駆動面を撓めた状態としなければならない。このため前記の撓み状態を実現するにはチェーンの連結軸部分に軸方向の遊びを設けておく必要があり、チェーンがガタツクことになり、故障の原因ともなる。
【０００８】
更に受け皿部を構成する一方部材（レール部）を細かく折曲して曲線に対応させ、且つ細かく形成した他方部材（カバー部）の装着が必要となり、ゲーム店舗への吸殻回収装置の組み込み作業自体が煩雑なものとなる。
【０００９】
そこで本考案は、チェーンの駆動面を撓めず、駆動面上で折曲可能である搬送押出機構を備えた吸殻回収装置を提案したものである。
【課題を解決するための手段】
【００１０】
本考案に係る吸殻回収装置は、複数のゲーム機を列設したゲーム店舗におけるゲーム機前面の灰皿部を備えたテーブル部の下面に、灰皿部から落下する吸殻を受け留める樋形状の受け皿部と、前記受け皿部内に吸殻押出搬送機構とを設け、受け皿部の端部に設けた吸殻排出部まで、受け皿部内の吸殻を押出搬送する吸殻回収装置において、特に、押出搬送機構を、水平面で周回駆動するチェーンと、前記チェーンに所定の間隔で連結して、吸殻落下貯留箇所を移動する押出板とで構成したことを特徴とするものである。
【００１１】
従ってゲーム機が非直線状態で列設され、これに伴ってテーブル部が非直線状態であるために受け皿部を非直線状に設けても、チェーンは周回駆動面上で折曲することになるに過ぎなく、何ら不都合なく対応できる。
【００１２】
また本考案（請求項２）に係る吸殻回収装置は、前記装置において、受け皿部を端面Ｔ状とし、縦壁面の下方にチェーンレールを前後に設けたレール部材と、チェーンレールに装着されたチェーンに付設した押出板の移動軌跡と対応する形状の樋形状のカバー部材とで構成したもので、水平面周回駆動のチェーンを有する押出搬送機構の組み込みが容易になし得るものである。
【００１３】
また本考案（請求項３）に係る吸殻回収装置は、更に縦壁面の上方部を灰皿部の後方とし、下方部を前後中間位置に形成したレール部の前面位置とした傾斜面に形成してなるもので、テーブル部下方におけるチェーン及び押出板の水平周回駆動に伴なう吸殻非搬送領域の確保を、容易に実現できたものである。
【００１４】
更に本考案（請求項４）は、直線状の長尺の受け皿部の間を短尺の受け皿部で連結し、非直線状に設けたテーブル部の下面に配置してなるもので、少ない部材で、非直線状テーブル部に対応できたものである。
【考案の効果】
【００１５】
本考案は上記の構成を採用したものであるから、ゲーム機が非直線状態で列設されて、テーブル部が非直線状態であっても、吸殻押出搬送機構の駆動チェーンが水平周回駆動となるので、何らの支障なく対応できるものであり、また特に長尺受け皿部をレール部材とカバー部材とで構成することで、非直線状設置に容易に対応できるし、直線状の長尺受け皿部材と短尺受け皿部材を採用することで、少ない部材で非直線状設置に対応できる。
【００１６】
更に受け皿部のレール部材における縦壁面を、上方の前方幅が広く下方が幅狭の傾斜面に形成することで、前後幅が狭く設置範囲が限定されるテーブル部下面においても充分装置の組み込みが容易になされるものである。
【考案を実施するための最良の形態】
【００１７】
次に本考案の実施の形態について説明する。吸殻回収装置は、複数のゲーム機を列設したゲーム店舗におけるゲーム機Ａの前面に灰皿部Ｂを備えたテーブル部Ｃの下面に設けたもので、受け皿部１と、吸殻排出部２と、吸殻押出搬送機構３とで構成される。
【００１８】
受け皿部１は、長尺受け皿部１ａと短尺受け皿部１ｂとを備えるもので、両受け皿部１ａ，１ｂ共に、レール部材１１とカバー部材１２とで構成される。
【００１９】
レール部材１１は、端面Ｔ状とし、上面部１１１と縦壁面１１２とレール部１１３を備えたもので、上面部１１１は、テーブル部Ｃの裏面（下面）に固着するもので、灰皿部Ｂが装着されたテーブル部Ｃの透孔Ｄと対応する吸殻投入孔１１４を穿設したものである。  
【００２０】
縦壁面１１２は、前記の上面部１１１から前後を仕切るように垂設したもので、上方部は、灰皿部Ｂの後方位置となる吸殻投入孔１１４の後方から、略前後中間位置に形成するレール部１１３の前面位置とを結ぶ傾斜面に形成したものである。
【００２１】
レール部１１３は、下方開口コの字状の前後二条のレールで構成され、レールは後述する駆動チェーン３１が納まる大きさとしたものである。
【００２２】
カバー部材１２は、全体がレール部材１１の上面板１１１の前縁から後縁に至る樋形状で、特に底面部分は、吸殻押出搬送機構３の押出板３２の外縁の移動軌跡形状と対応させたものである。尚レール部１１３の前後中間に仕切り壁を設けて、押出板３２の搬送領域と非搬送領域を明確に分離するようにしても良い。
【００２３】
吸殻排出部２は、受け皿部１の終端側又は途中の適宜箇所に設けたもので、吸殻押出搬送機構３の押出板３２で押し出された吸殻Ｅが受け皿部１の終端から落下するのを受け入れるもので、吸殻Ｅが集積され廃棄されるまでの吸殻溜まりとなるものである。
【００２４】
吸殻押出搬送機構３は、駆動チェーン３１と押出板３２と駆動部３３で構成され、駆動チェーン３１は、レール部１１３に納められて、水平面で周回動作を行うものであり、押出板３２は、駆動チェーン３１の連結軸を適宜間隔で下方に延長し、当該延長軸に押出板３２が周回方向と直交する方向に固定したものである。
【００２５】
また駆動部３３は、駆動チェーン３１及び押出板３２を動作させるもので、その動作制御は任意である。
【００２６】
そして吸殻回収装置は、所望の非直線状のテーブル部Ｃの下面に、長尺受け皿部１ａと短尺受け皿部１ｂとを折曲状態で連結することで非直線状に組み込むことができるもので、その組み込み単位（吸殻押出搬送機構単位）は、駆動部駆動能力等を考慮して定められ、従前の吸殻回収装置同様に、駆動チェーン３１の駆動によって押出板３２を動作させ、灰皿部Ｂから捨てられた吸殻Ｅが傾斜面１１２とカバー部材１２で囲繞された箇所に落下し、この吸殻Ｅを押出板３２で吸殻排出部２まで押出搬送し、吸殻自動回収を行うものである。
【００２７】
特に本考案は、駆動チェーンが水平面で周回させるようにしたものであるから、吸殻回収装置を非直線状に設置する必要があっても、何らの支障が生ずることなく容易に対応できたものである。
【図面の簡単な説明】
【００２８】
【図１】本考案の実施形態の一部省略した正面図。
【図２】同受け皿部の一部斜視図。
【図３】同側面断面図。
【図４】同非直線状配置の説明図（平面図）。
【符号の説明】
【００２９】
Ａ          ゲーム機
Ｂ          灰皿部
Ｃ          テーブル部
Ｄ          透孔
Ｅ          吸殻
１          受け皿部
１ａ        長尺受け皿部
１ｂ        短尺受け皿部
１１        レール部材
１１１      上面部
１１２      縦壁面
１１３      レール部
１１４      吸殻投入孔
１２        カバー部材
２          吸殻排出部
３          吸殻押出搬送機構
３１        駆動チェーン
３２        押出板
３３        駆動部
【図１】
0003105320.tif 000003
【図２】
0003105320.tif 000004
【図３】
0003105320.tif 000005
【図４】
0003105320.tif 000006